(57)【要約】  構造の簡素化を確保した上でアクチュエーターに対する振動体の位置精度を高めて音質の向上を図る。  駆動信号に応じて動作されるアクチュエーターと、アクチュエーターが結合される結合部を有し少なくとも一部が弾性変形可能なバネホルダーと、バネホルダーを介して連結されると共にアクチュエーターの動作に応じて振動される複数の振動体とを備えた。これにより、複数の振動体がバネホルダーを介して連結されると共にバネホルダーの結合部にアクチュエーターが結合されるため、複数の振動体の連結とアクチュエーターの結合とが何れもバネホルダーによって行われ、アクチュエーターに対する振動体の位置精度が高くなり、構造の簡素化を確保した上でアクチュエーターに対する振動体の位置精度を高めて音質の向上を図ることができる。
2018012181.tif 000002
【特許請求の範囲】
【請求項１】
駆動信号に応じて動作されるアクチュエーターと、
前記アクチュエーターが結合される結合部を有し少なくとも一部が弾性変形可能なバネホルダーと、
前記バネホルダーを介して連結されると共に前記アクチュエーターの動作に応じて振動される複数の振動体とを備えた
スピーカー装置。
【請求項２】
前記アクチュエーターは駆動信号に応じて伸縮する振動素子を有し、
前記複数の振動体が前記バネホルダーによってそれぞれ所定の方向へ付勢された状態で前記振動素子に押し付けられた
請求項１に記載のスピーカー装置。
【請求項３】
前記振動体は二つが設けられ、
前記二つの振動体は前記振動素子を挟んで反対側に位置されると共にそれぞれ前記振動素子の伸縮方向における両端に接した状態にされた
請求項２に記載のスピーカー装置。
【請求項４】
前記二つの振動体は各端面が対向した状態で位置され、
前記各端面の間にクッションが配置された
請求項３に記載のスピーカー装置。
【請求項５】
前記振動体が筒状、錐状又は略半球状に形成され、
前記アクチュエーターが前記振動体の周方向に離隔して複数配置された
請求項１に記載のスピーカー装置。
【請求項６】
前記複数のアクチュエーターが等間隔に配置された
請求項５に記載のスピーカー装置。
【請求項７】
前記振動体が筒状、錐状又は略半球状に形成され、
前記アクチュエーターが前記振動体の周方向に離隔して複数配置され、
前記結合部が前記振動体の周方向に離隔して複数設けられ、
前記複数のアクチュエーターと前記複数の結合部とが等間隔に位置された
請求項１に記載のスピーカー装置。
【請求項８】
前記振動体は二つが設けられ、
前記バネホルダーに前記二つの振動体を連結する環状の第１の保持部と第２の保持部が設けられ、
前記第１の保持部が前記第２の保持部の内側に位置された
請求項１に記載のスピーカー装置。
【請求項９】
前記第２の保持部に前記結合部が設けられた
請求項８に記載のスピーカー装置。
【請求項１０】
前記複数の振動体の内部に配置空間が形成され、
前記配置空間に前記バネホルダーと前記アクチュエーターが配置された
請求項１に記載のスピーカー装置。
【請求項１１】
少なくとも前記アクチュエーターを制御する制御基板を有する構造ユニットが設けられ、
前記構造ユニットが前記配置空間に配置された
請求項１０に記載のスピーカー装置。
【請求項１２】
前記構造ユニットには前記振動体の振動に基づいて出力される音響とは異なる音響を出力するスピーカーユニットが設けられた
請求項１１に記載のスピーカー装置。
【請求項１３】
前記制御基板が複数設けられ、
前記構造ユニットには前記振動体の振動に基づいて出力される音響とは異なる音響を出力するスピーカーユニットが設けられ、
前記スピーカーユニットの周囲に前記複数の制御基板が配置された
請求項１１に記載のスピーカー装置。
【請求項１４】
前記配置空間に照明が配置された
請求項１０に記載のスピーカー装置。
【発明の詳細な説明】
【技術分野】
【０００１】
本技術は駆動信号に応じて動作されるアクチュエーターによって振動体を振動させて音響を出力するスピーカー装置についての技術分野に関する。
【背景技術】
【０００２】
所定の周波数帯域の音響（音声）を出力するスピーカー装置がある。スピーカー装置にはアクチュエーターに、例えば、圧電素子や磁歪素子等の振動素子が設けられ、振動素子の伸縮によって振動板等の振動体を振動させて音響の出力が行われるように構成されたものがある（例えば、特許文献１参照）。【０００３】
特許文献１に記載されたスピーカー装置においては、振動素子に駆動信号が入力されて振動素子が伸縮され、振動素子の伸縮によって振動体が振動されて音響が出力される。【０００４】
このようなスピーカー装置においては、大きな駆動力を得ることが可能になり、音響の良好な出力状態を確保することが可能である。
【先行技術文献】
【特許文献】
【０００５】
【特許文献１】特開平１１−２６６４９６号公報
【発明の概要】
【発明が解決しようとする課題】
【０００６】
ところで、スピーカー装置においては、アクチュエーターに対する振動体の位置精度が低いと、駆動信号がアクチュエーターに入力されたときのアクチュエーターからの振動体に対する伝達効率が低くなり、音響変換効率が低くなって音質の低下を来すおそれがある。【０００７】
しかしながら、専用の位置決め機構等を用いてアクチュエーターに対する振動体の位置精度を高めようとすると、スピーカー装置における構造の複雑化や部品点数の増大による製造コストの高騰を来たしてしまう。【０００８】
そこで、本技術スピーカー装置は、上記した問題点を克服し、構造の簡素化を確保した上でアクチュエーターに対する振動体の位置精度を高めて音質の向上を図ることを目的とする。
【課題を解決するための手段】
【０００９】
第１に、本技術に係るスピーカー装置は、駆動信号に応じて動作されるアクチュエーターと、前記アクチュエーターが結合される結合部を有し少なくとも一部が弾性変形可能なバネホルダーと、前記バネホルダーを介して連結されると共に前記アクチュエーターの動作に応じて振動される複数の振動体とを備えたものである。【００１０】
これにより、複数の振動体がバネホルダーを介して連結されると共にバネホルダーの結合部にアクチュエーターが結合される。【００１１】
第２に、上記したスピーカー装置においては、前記アクチュエーターは駆動信号に応じて伸縮する振動素子を有し、前記複数の振動体が前記バネホルダーによってそれぞれ所定の方向へ付勢された状態で前記振動素子に押し付けられることが望ましい。【００１２】
これにより、振動素子の伸縮時にバネホルダーの付勢力によって振動体が振動素子に接した状態が保持される。【００１３】
第３に、上記したスピーカー装置においては、前記振動体は二つが設けられ、前記二つの振動体は前記振動素子を挟んで反対側に位置されると共にそれぞれ前記振動素子の伸縮方向における両端に接した状態にされることが望ましい。【００１４】
これにより、振動素子の伸縮時にバネホルダーの付勢力によって振動体が互いに反対側から接触されるため、振動素子が振動体の双方を振動させるために共用化される。【００１５】
第４に、上記したスピーカー装置においては、前記二つの振動体は各端面が対向した状態で位置され、前記各端面の間にクッションが配置されることが望ましい。【００１６】
これにより、振動体の振動時にクッションが弾性変形される。【００１７】
第５に、上記したスピーカー装置においては、前記振動体が筒状、錐状又は略半球状に形成され、前記アクチュエーターが前記振動体の周方向に離隔して複数配置されることが望ましい。【００１８】
これにより、振動体の振動が周方向に離隔して配置された複数のアクチュエーターの動作によって行われる。【００１９】
第６に、上記したスピーカー装置においては、前記複数のアクチュエーターが等間隔に配置されることが望ましい。【００２０】
これにより、振動体の振動が周方向に等間隔に離隔して配置された複数のアクチュエーターの動作によって行われる。【００２１】
第７に、上記したスピーカー装置においては、前記振動体が筒状、錐状又は略半球状に形成され、前記アクチュエーターが前記振動体の周方向に離隔して複数配置され、前記結合部が前記振動体の周方向に離隔して複数設けられ、前記複数のアクチュエーターと前記複数の結合部とが等間隔に位置されることが望ましい。【００２２】
これにより、振動体の振動が周方向に等間隔に離隔して配置された複数のアクチュエーターの動作によって行われると共に振動体が周方向に等間隔に離隔して設けられた各結合部に結合される。【００２３】
第８に、上記したスピーカー装置においては、前記振動体は二つが設けられ、前記バネホルダーに前記二つの振動体を連結する環状の第１の保持部と第２の保持部が設けられ、前記第１の保持部が前記第２の保持部の内側に位置されることが望ましい。【００２４】
これにより、第１の保持部が第２の保持部の外側に位置されないため、バネホルダーの外形状が小さくなる。【００２５】
第９に、上記したスピーカー装置においては、前記第２の保持部に前記結合部が設けられることが望ましい。【００２６】
これにより、結合部が振動体を保持する機能を有する第２の保持部の一部として設けられているため、バネホルダーに結合部として機能する専用の部分を設ける必要がなく、バネホルダーの外形状が小さくなる。【００２７】
第１０に、上記したスピーカー装置においては、前記複数の振動体の内部に配置空間が形成され、前記配置空間に前記バネホルダーと前記アクチュエーターが配置されることが望ましい。【００２８】
これにより、振動体が外筐として設けられ、バネホルダーとアクチュエーターを収容する専用の外筐を設ける必要がない。【００２９】
第１１に、上記したスピーカー装置においては、少なくとも前記アクチュエーターを制御する制御基板を有する構造ユニットが設けられ、前記構造ユニットが前記配置空間に配置されることが望ましい。【００３０】
これにより、外筐としても機能する振動体の内部に構造ユニットが配置される。【００３１】
第１２に、上記したスピーカー装置においては、前記構造ユニットには前記振動体の振動に基づいて出力される音響とは異なる音響を出力するスピーカーユニットが設けられることが望ましい。【００３２】
これにより、スピーカー装置において複数の異なる音響が出力される。【００３３】
第１３に、上記したスピーカー装置においては、前記制御基板が複数設けられ、前記構造ユニットには前記振動体の振動に基づいて出力される音響とは異なる音響を出力するスピーカーユニットが設けられ、前記スピーカーユニットの周囲に前記複数の制御基板が配置されることが望ましい。【００３４】
これにより、制御基板の内側にスピーカーユニットが位置される構成になる。【００３５】
第１４に、上記したスピーカー装置においては、前記配置空間に照明が配置されることが望ましい。【００３６】
これにより、スピーカー装置が音響の出力機能の他に照明機能をも有する。
【発明の効果】
【００３７】
本技術によれば、複数の振動体がバネホルダーを介して連結されると共にバネホルダーの結合部にアクチュエーターが結合されるため、複数の振動体の連結とアクチュエーターの結合とが何れもバネホルダーによって行われ、アクチュエーターに対する振動体の位置精度が高くなり、構造の簡素化を確保した上でアクチュエーターに対する振動体の位置精度を高めて音質の向上を図ることができる。【００３８】
尚、本明細書に記載された効果はあくまでも例示であって限定されるものではなく、他の効果があってもよい。
【図面の簡単な説明】
【００３９】
【図１】図２乃至図１３と共に本技術スピーカー装置の実施の形態を示すものであり、本図は、スピーカー装置の斜視図である。
【図２】スピーカー装置の分解斜視図である。
【図３】スピーカー装置の各部を分離して示す斜視図である。
【図４】スピーカー装置の垂直断面図である。
【図５】下側の振動体を取り外して示す底面図である。
【図６】スピーカー装置の他の構成例を示す垂直断面図である。
【図７】振動体が円錐台形状に形成された例を示す側面図である。
【図８】振動体が円筒形状に形成された例を示す側面図である。
【図９】振動体が円錐台形状に形成された別の例を示す側面図である。
【図１０】振動体の外周面が曲面状に形成された例を示す側面図である。
【図１１】振動体が略楕円球状に形成された例を示す側面図である。
【図１２】振動体が略半球状の形状と円筒状の形状の組合せによって形成された例を示す側面図である。
【図１３】据置型のスピーカー装置の例を示す側面図である。
【発明を実施するための形態】
【００４０】
以下に、本技術スピーカー装置を実施するための形態を添付図面に従って説明する。
【００４１】
以下には、例として、天井等から吊り下げられる吊下型のスピーカー装置について説明する。但し、本技術スピーカー装置の適用範囲は吊下型のスピーカー装置に限られることはなく、例えば、床等の載置面に載置されて用いられる据置型のスピーカー装置等の他の種類の各種のスピーカー装置に広く適用することができる。
【００４２】
尚、以下に示す上下前後左右の方向は、説明の便宜上示すものであり、本技術はこれらの方向に限定して適用されることはない。
【００４３】
＜スピーカー装置の構成＞
スピーカー装置１は外筐としても機能する振動体２、３と振動体２、３の内部に配置されたバネホルダー４とバネホルダー４に結合されたアクチュエーター５、５、５とバネホルダー４に保持された構造ユニット６とを有している（図１乃至図４参照）。スピーカー装置１は天井等からケーブル１００、１００、１００によって吊り下げられて用いられる。
【００４４】
ケーブル１００はスピーカー装置１を吊り下げる吊下具として機能する他、内部に電線を有し電線が構造ユニット６の所定の部分に接続されることにより電力を供給するための接続線としても機能する。
【００４５】
振動体２、３は上下に位置され、上側の振動体２が上端部を除いて下方に開口された略半球状に形成され、下側の振動体３が上方に開口された略半球状に形成されている。振動体２、３は、例えば、アクリル等の透明な樹脂材料によって形成されている。
【００４６】
振動体２は下端面が円環状の対向面２ａとして形成されている。振動体２には下端寄りの位置における内周側に押付部７、７、７が周方向に等間隔に離隔して設けられている。押付部７は下面が押付面７ａとして形成され、押付面７ａが対向面２ａより内側かつ上側に位置されている（図４参照）。振動体２は上端に上下に貫通された開口２ｂを有し、開口２ｂの開口縁が取付部２ｃとして設けられている。
【００４７】
振動体２の上端部にはケーブル用孔２ｄ、２ｄ、２ｄが周方向に等間隔に離隔して形成されている（図２及び図４参照）。尚、振動体２の上端部にはケーブル用孔２ｄに代えてケーブル用切欠が形成されていてもよい。
【００４８】
振動体３は上端面が円環状の対向面３ａとして形成されている（図２乃至図４参照）。振動体３には締結部３ｂ、３ｂ、３ｂが周方向に等間隔に離隔して設けられている。振動体３には上端寄りの位置における内周側に押付部８、８、８が周方向に等間隔に離隔して設けられている。押付部８は上面が押付面８ａとして形成され、押付面８ａが対向面３ａより内側かつ下側に位置されている。
【００４９】
振動体２と振動体３は、円環状のクッション９を介して対向面２ａと対向面３ａが上下方向において対向して位置され、押付面７ａ、７ａ、７ａと押付面８ａ、８ａ、８ａがそれぞれ上下方向において対向して位置されている。クッション９としては、例えば、発泡ポリウレタン等の柔軟な材料が用いられている。
【００５０】
略半球状に形成された振動体２、３が上記のように上下に位置されることにより、振動体２、３の内部に略球状の空間が形成され、この空間が配置空間１０として形成されている（図４参照）。
【００５１】
振動体２の上面にはトップカバー１１が取り付けられ、開口２ｂがトップカバー１１によって閉塞されている（図１乃至図４参照）。トップカバー１１には外周部にケーブル１００、１００、１００が挿通される挿通孔１１ａ、１１ａ、１１ａが周方向に等間隔に離隔して形成されている。トップカバー１１は外周部を除く部分がメッシュ状に形成され、メッシュ状の部分における各孔が放音孔として形成されている。
【００５２】
バネホルダー４は、例えば、ステンレス又はアルミニウム等の適度な弾性及び剛性を有する材料によって形成され、少なくとも一部が略上下方向へ弾性変形可能にされている。バネホルダー４は、中心軸が上下方向にされたリング状の第１の保持部１２と、同じく中心軸が上下方向にされたリング状の第２の保持部１３と、第１の保持部１２と第２の保持部１３を連結する連結部１４、１４、１４とが一体に形成されて成る。尚、バネホルダー４は適度な弾性及び剛性を有していれば、例えば、ポリアミド（ＰＡ：PolyAmide）、ポリオキシメチレン（ＰＯＭ：PolyOxyMethylene）、ポリカーボネート（ＰＣ：PolyCarbonate）、ポリメタクリル酸メチル（ＰＭＭＡ：PolyMethylMethAcrylate）、アクリロニトリルブタジエンスチレン共重合体（ＡＢＳ：Acrylonitrile-Butadiene-Styrene resin）等の樹脂材料によって形成されていてもよい。
【００５３】
第１の保持部１２と第２の保持部１３の中心軸は一致され、第１の保持部１２は第２の保持部１３の上側に位置され直径が第２の保持部１３の直径より小さくされている。
【００５４】
第２の保持部１３には結合部１３ａ、１３ａ、１３ａが周方向に等間隔に離隔して設けられている（図５参照）。第２の保持部１３には固定部１３ｂ、１３ｂ、１３ｂが周方向に等間隔に離隔して設けられている。結合部１３ａ、１３ａ、１３ａと固定部１３ｂ、１３ｂ、１３ｂは周方向に交互に等間隔に離隔して設けられている。
【００５５】
連結部１４、１４、１４は周方向に等間隔に離隔して設けられ、上端部が第１の保持部１２に連続され下端部が第２の保持部１３に連続されている（図１乃至図４参照）。
【００５６】
バネホルダー４は第２の保持部１３の固定部１３ｂ、１３ｂ、１３ｂが、例えば、ネジ止め等によりそれぞれ振動体３の締結部３ｂ、３ｂ、３ｂに固定されている。従って、振動体３はバネホルダー４に保持される。
【００５７】
アクチュエーター５、５、５はそれぞれ第２の保持部１３の結合部１３ａ、１３ａ、１３ａに取り付けられている。アクチュエーター５はスリーブ１５と振動素子１６を有している。
【００５８】
スリーブ１５は上下方向が軸方向にされた円筒状の支持筒部１５ａと支持筒部１５ａから側方に突出された結合用突部１５ｂとが一体に形成されて成る。
【００５９】
振動素子１６は、例えば、円柱状又は角柱状の圧電素子であり、スリーブ１５の支持筒部１５ａに上下方向へ伸縮可能に支持されている。振動素子１６は駆動信号（電圧）の入力によって伸縮され、振動体２、３に力を伝達して振動体２、３を振動させる加振部としての機能を有している。
【００６０】
振動体２、３が振動することにより音響（音声）が出力される。従って、振動体２、３は外筐として機能する他に、音響を出力する音響出力部としても機能する。振動体２、３から出力される音響は、例えば、中音域から高音域の音響であり、振動体２、３はツイーターとして機能する。
【００６１】
振動素子１６は上下両端部がそれぞれ支持筒部１５ａから上下に突出可能な状態にされている。
【００６２】
スリーブ１５、１５、１５は結合用突部１５ｂ、１５ｂ、１５ｂがそれぞれ第２の保持部１３の結合部１３ａ、１３ａ、１３ａに、例えば、ネジ止め等により結合される。従って、アクチュエーター５、５、５はバネホルダー４に保持される。
【００６３】
スピーカー装置１にあっては、バネホルダー４の第２の保持部１３にアクチュエーター５、５、５が結合される結合部１３ａ、１３ａ、１３ａが設けられている。
【００６４】
従って、結合部１３ａ、１３ａ、１３ａがアクチュエーター５、５、５を保持する機能を有する第２の保持部１３の一部として設けられているため、バネホルダー４に結合部として機能する専用の部分を設ける必要がなく、バネホルダー４の外形状が小さくなり、スピーカー装置１の小型化及び構造の簡素化を図ることができる。
【００６５】
また、バネホルダー４には振動体２、３を連結する環状の第１の保持部１２と第２の保持部１３が設けられ、第１の保持部１２が第２の保持部１３の内側に位置されている。
【００６６】
従って、第１の保持部１２が第２の保持部１３の外側に位置されないため、バネホルダー４の外形状が小さくなり、スピーカー装置１の一層の小型化及び構造の簡素化を図ることができる。
【００６７】
構造ユニット６はブラケット１７に所要の各部が取り付けられて構成されている。ブラケット１７は略矩形状に形成された板状の取付ベース１８と取付ベース１８の各角部からそれぞれ上方に突出された取付脚１９、１９、・・・とを有している。
【００６８】
取付ベース１８は上下方向を向く取付面部１８ａと取付面部１８ａの各角部からそれぞれ外方に突出された連結用突部１８ｂ、１８ｂ、・・・とを有している。
【００６９】
取付ベース１８における取付面部１８ａの下面には照明用基板２０が取り付けられている。照明用基板２０の下面には照明用の光源２１が搭載されている。照明用基板２０は第１の保持部１２の内側に位置されている。光源２１としては、例えば、発光ダイオードが用いられている。
【００７０】
バネホルダー４における第１の保持部１２の下面には、例えば、半透明の材料によって形成されたディフューザー２２が照明用基板２０を覆う状態で取り付けられている。光源２１から光が出射されると、出射された光がディフューザー２２と振動体２、３、特に、下側に位置された振動体３を透過されて照明用の光として照射される。
【００７１】
取付ベース１８の上面には、コンバーター２３が取り付けられている。コンバーター２３は、例えば、ＡＣ／ＤＣコンバーターである。尚、取付ベース１８の上面には、コンバーター２３に代えてリチウムイオンバッテリー等のバッテリーが取り付けられていてもよい。
【００７２】
コンバーター２３の上面にはスピーカーユニット２４が取り付けられている。スピーカーユニット２４は、例えば、ウーファーとして設けられ、中域から低域の音響を出力する機能を有している。スピーカーユニット２４の上端部には外方（側方）に突出された被取付部２４ａ、２４ａ、・・・が周方向に離隔して設けられている。
【００７３】
ブラケット１７には、例えば、四つの制御基板２５、２５、・・・が取り付けられている。制御基板２５、２５、・・・はコンバーター２３とスピーカーユニット２４を四方から囲む状態でブラケット１７に取り付けられている。制御基板２５、２５、・・・としては、例えば、通信用、演算処理用、音響効果制御用、オーディオ用の基板が用いられている。少なくとも一つの制御基板２５とアクチュエーター５、５、５及びスピーカーユニット２４は図示しない接続線によって接続されている。
【００７４】
上記のように、スピーカー装置１にあっては、振動体２、３の振動に基づいて出力される音響と異なる音響を出力するスピーカーユニット２４と制御基板２５、２５、・・・が設けられ、スピーカーユニット２４の周囲に制御基板２５、２５、・・・が配置されている。
【００７５】
従って、制御基板２５、２５、・・・の内側にスピーカーユニット２４が位置される構成になるため、配置空間における構造ユニット６の配置スペースが小さくなり、スピーカー装置１の小型化を図ることができる。
【００７６】
スピーカーユニット２４は被取付部２４ａ、２４ａ、・・・がブラケット１７における取付脚１９、１９、・・・の上端部に取り付けられている。
【００７７】
スピーカーユニット２４の上端部にはリング状の取付板２６が取り付けられている。取付板２６にはケーブル挿入孔２６ａ、２６ａ、・・・が周方向に離隔して形成されている。取付板２６は振動体２の上端部に設けられた取付部２ｃに取り付けられている。
【００７８】
バネホルダー４における第１の保持部１２の上面には円環状の連結板２７が取り付けられている。連結板２７にはブラケット１７における取付ベース１８の連結用突部１８ｂ、１８ｂ、・・・が取り付けられている。従って、ブラケット１７は連結板２７を介して第１の保持部１２に取り付けられ、構造ユニット６がバネホルダー４に取り付けられる。
【００７９】
バネホルダー４の第１の保持部１２と取付板２６には円筒状の筒状グリル２８が取り付けられている。筒状グリル２８はメッシュ状に形成され、上端部が取付板２６の外周部に結合され、下端部がバネホルダー４における第１の保持部１２の外周部に結合されている。筒状グリル２８によって制御基板２５、２５、・・・とコンバーター２３とスピーカーユニット２４が外周側から視覚的に遮蔽されている。尚、筒状グリル２８はメッシュ状に形成されており、スピーカー装置１の内部の空気の流動が妨げられることはなく、筒状グリル２８の存在によってスピーカーユニット２４の動作が妨げられることはない。
【００８０】
構造ユニット６がバネホルダー４に取り付けられた状態において、上記のように、構造ユニット６の取付板２６が振動体２の取付部２ｃに取り付けられる。従って、バネホルダー４によって構造ユニット６を介して振動体２と振動体３が連結される。
【００８１】
このようにスピーカー装置１にあっては、バネホルダー４によって振動体２と振動体３が連結されているため、振動体２と振動体３には弾性変形可能なバネホルダー４から互いに近付く方向（上下方向）への付勢力が付与されている。従って、バネホルダー４よって下方へ付勢された振動体２の押付面７ａが振動素子１６、１６、１６の上面に押し付けられ、バネホルダー４よって上方へ付勢された振動体３の押付面８ａが振動素子１６、１６、１６の下面に押し付けられている。
【００８２】
取付板２６が振動体２の取付部２ｃに取り付けられた状態においては、トップカバー１１の挿通孔１１ａ、１１ａ、１１ａと振動体２のケーブル用孔２ｄ、２ｄ、２ｄと取付板２６のケーブル挿入孔２６ａ、２６ａ、２６ａとを順にケーブル１００、１００、１００が挿通される。ケーブル１００、１００、１００は照明用基板２０と制御基板２５、２５、・・・に接続され、ケーブル１００、１００、１００によって照明用基板２０に搭載された光源２１と制御基板２５、２５、・・・に電源が供給される。また、制御基板２５を介してアクチュエーター５、５、５の振動素子１６、１６、１６とスピーカーユニット２４にも電源が供給される。
【００８３】
また、制御基板２５、２５、・・・等には必要に応じて音響信号も供給される。音響信号の供給は有線のみならず無線によって行われてもよい。例えば、スピーカー装置１にあっては、有線又は無線によってオーディオ信号が入力され、この入力されたオーディオ信号に基づいて振動素子１６、１６、１６に対して出力される駆動信号が生成される。
【００８４】
上記したように、スピーカー装置１にあっては、振動体２、３の内部に配置空間１０が形成され、配置空間１０にバネホルダー４とアクチュエーター５、５、５が配置されている。
【００８５】
従って、振動体２、３が外筐として設けられ、バネホルダー４とアクチュエーター５、５、５を収容する専用の外筐を設ける必要がなく、スピーカー装置１の部品点数の削減及び小型化を図ることができる。
【００８６】
また、少なくともアクチュエーター５、５、５を制御する制御基板２５、２５、・・・を有する構造ユニット６が設けられ、構造ユニット６が配置空間１０に配置されている。
【００８７】
従って、外筐としても機能する振動体２、３の内部に構造ユニット６が配置されるため、配置スペースの有効活用によるスピーカー装置１の一層の小型化を図ることができる。
【００８８】
＜スピーカー装置における動作＞
上記のように構成されたスピーカー装置１において、振動素子１６、１６、１６に駆動信号が入力されると、入力された駆動信号に応じて振動素子１６、１６、１６が上下方向に伸縮され、振動素子１６、１６、１６に押し付けられている振動体２、３が振動する。振動体２、３が振動すると、中高域の音響が出力される。このとき振動素子１６、１６、１６の伸縮により振動体２、３が僅かに上下方向へ変動されるが、アクチュエーター５、５、５がバネホルダー４に保持されると共に振動体２、３がバネホルダー４に保持された状態で互いに近付く方向へ付勢されているため、振動素子１６、１６、１６の上下両面に対する押付面７ａと押付面８ａの押付状態が維持される。
【００８９】
このようにアクチュエーター５は駆動信号に応じて伸縮する振動素子１６を有し、振動体２、３がバネホルダー４によってそれぞれ所定の方向へ付勢された状態でアクチュエーター５の振動素子１６に押し付けられている。
【００９０】
従って、振動素子１６の伸縮時にバネホルダー４の付勢力によって振動体２、３が振動素子１６に接した状態が保持され、振動素子１６の駆動力が振動体２、３に確実に伝達され、振動体２、３の動作の信頼性の向上を図ることができる。
【００９１】
また、振動体２、３は振動素子１６を挟んで反対側に位置されると共にそれぞれ振動素子１６の伸縮方向における両端（上下両端）に接した状態にされている。
【００９２】
従って、振動素子１６の伸縮時にバネホルダー４の付勢力によって振動体２、３が互いに反対側から接触されるため、振動素子１６が振動体２、３の双方を振動させるために共用化されており、振動体２、３をそれぞれ振動させるための各専用の振動素子が不要になり、部品点数の削減及び小型化を図ることができると共に振動エネルギーの伝達効率の向上を図ることができる。
【００９３】
さらに、振動体２、３の対向面２ａ、３ａが対向した状態で位置され、対向面２ａ、３ａ間にクッション９が配置されている。
【００９４】
従って、振動体２、３の振動時にクッション９が弾性変形され、振動体２、３の振動が妨げられることなく振動体２、３同士の接触が防止され、振動体２、３の安定した振動状態を確保することができる。また、クッション９が配置されていることにより、振動体２、３間の隙間が閉塞され、クッション９がスピーカーユニット２４の筐体として機能し、スピーカーユニット２４の動作時に空気が振動体２、３の外部に流動されず音質や音圧の向上を図ることができる。
【００９５】
さらにまた、振動体２、３が略半球状に形成され、アクチュエーター５、５、５が振動体２、３の周方向に離隔して複数配置されている。
【００９６】
従って、振動体２、３の振動が周方向に離隔して配置された複数のアクチュエーター５、５、５の動作によって行われるため、振動体２、３の振動状態が安定し、音質の向上を図ることができる。
【００９７】
また、複数のアクチュエーター５、５、５が等間隔に配置されているため、振動体２、３の振動が周方向に等間隔に離隔して配置された複数のアクチュエーター５、５、５の動作によって行われるため、振動体２、３の振動状態が一層安定し、一層の音質の向上を図ることができる。
【００９８】
加えて、複数のアクチュエーター５、５、５とバネホルダー４の複数の結合部１３ａ、１３ａ、１３ａとが等間隔に位置されている。
【００９９】
従って、振動体２、３の振動が周方向に等間隔に離隔して配置された複数のアクチュエーター５、５、５の動作によって行われると共に振動体２、３が周方向に等間隔に離隔して設けられた各結合部１３ａ、１３ａ、１３ａに結合されるため、振動体２、３の振動状態と振動体２、３のバネホルダー４に対する結合状態が安定し、さらなる音質の向上を図ることができる。
【０１００】
尚、振動体２、３の大きさや材質は振動素子１６、１６、１６の伸縮によって振動を発生する構成であれば任意に構成することが可能であり、振動体２、３の大きさや材質を変更することにより、周波数の調整や音響の出力方向の調整を必要に応じて行うことが可能であり、スピーカー装置１の設計の自由度の向上を図ることができる。
【０１０１】
また、バネホルダー４の振動体２、３に対する付勢力を調整することによっても、出力される音響に関する周波数の調整や音圧の調整を行うことが可能であり、バネホルダー４の振動体２、３に対する付勢力を調整することによっても、スピーカー装置１の設計の自由度の向上を図ることができる。
【０１０２】
一方、スピーカーユニット２４に駆動信号が入力されると、スピーカーユニット２４から中低域の音響が出力される。スピーカーユニット２４から出力された音響はトップカバー１１の放音孔から外部に出力される。
【０１０３】
このようにスピーカー装置１には振動体２、３の振動に基づいて出力される音響と異なる音響を出力するスピーカーユニット２４が設けられているため、スピーカー装置１において複数の異なる音響が出力され、スピーカー装置１の機能性の向上及び音域の広域化を図ることができる。
【０１０４】
照明用基板２０を介して光源２１に電源が供給されると、光源２１から光が出射され、出射された光が半透明なディフューザー２２と透明な振動体２、３を透過されて照明用の光として外部に照射される。
【０１０５】
このように、スピーカー装置１にあっては、配置空間１０に照明として機能する光源２１が配置されているため、スピーカー装置１が音響の出力機能の他に照明機能をも有しており、スピーカー装置１の機能性の向上を図ることができる。
【０１０６】
＜他の構成例＞
上記には、バネホルダー４によって構造ユニット６を介して振動体２と振動体３が連結された構成を示したが、例えば、バネホルダー４の第１の保持部１２が振動体２の取付部２ｃに取り付けられ、第１の保持部１２の下面に構造ユニット６が取り付けられた構成にされていてもよい（図６参照）。
【０１０７】
このような構成においては、振動体２と振動体３が構造ユニット６を介することなくバネホルダー４によって連結される。従って、構造ユニット６の強度の高さに拘わらずバネホルダー４によって振動体２と振動体３を安定した状態で連結することができる。
【０１０８】
＜まとめ＞
以上に記載した通り、スピーカー装置１にあっては、駆動信号に応じて動作されるアクチュエーター５と、アクチュエーター５が結合される結合部１３ａを有し少なくとも一部が弾性変形可能なバネホルダー４と、バネホルダー４を介して連結されると共にアクチュエーター５の動作に応じて振動される振動体２、３とを備えている。
【０１０９】
従って、振動体２、３がバネホルダー４を介して連結されると共にバネホルダー４の結合部１３ａにアクチュエーター５が結合されるため、振動体２、３の連結とアクチュエーター５の結合とが何れもバネホルダー４によって行われ、アクチュエーター５に対する振動体２、３の位置精度が高くなり、構造の簡素化を確保した上でアクチュエーター５に対する振動体２、３の位置精度を高めて音質の向上を図ることができる。
【０１１０】
また、スピーカー装置１においては、順に、アクチュエーター５、５、５が取り付けられたバネホルダー４を振動体３に上側から組み付け、バネホルダー４の第１の保持部１２に構造ユニット６を上側から組み付け、振動体３上にクッション９を配置した状態で構造ユニット６に振動体２を上側から組み付け、振動体２にトップカバー１１を上側から組み付けることによりスピーカー装置１を構成することが可能である。
【０１１１】
従って、各部を他の部材等に順に一方向から組み付けることによりスピーカー装置１を構成することが可能であり、スピーカー装置１の組立性の向上による製造時間の短縮化及び製造コストの低減を図ることができる。
【０１１２】
＜その他＞
上記には、略半球状に形成された振動体２、３を有するスピーカー装置１の例を示したが、スピーカー装置１の振動体の形状は任意である。
【０１１３】
スピーカー装置１は、例えば、円錐台形状の振動体２Ａ、３Ａを有する構成にされていてもよく（図７参照）、例えば、円筒形状の振動体２Ｂ、３Ｂを有する構成にされていてもよい（図８参照）。また、スピーカー装置１は、振動体が錐台形状に限らず、円錐形状や三角錐形状等の多角錐形状を含む錐状に形成されていてもよい。
【０１１４】
また、スピーカー装置１は、例えば、下方又は上方に行くに従って径が大きくなる円錐台形状の振動体２Ｃ、３Ｃを有する構成にされていてもよく（図９参照）、例えば、外周面が下方又は上方に行くに従って径が大きくなる曲面状の振動体２Ｄ、３Ｄを有する構成にされていてもよい（図１０参照）。振動体２Ｄ、３Ｄの外周面は、例えば、放物線が３６０°回転されたときの軌跡によって形成された形状にされている。
【０１１５】
さらに、一部を除いてラグビーボール状や楕円球状の振動体２Ｅ、３Ｅを有する構成にされていてもよく（図１１参照）、例えば、略半球状の振動体２Ｆと円筒状の振動体３Ｆが組み合わされた構成にされていてもよい（図１２参照）。
【０１１６】
また、上記には、吊下型のスピーカー装置１を例として示したが、スピーカー装置１は、例えば、支持脚３０や支持台３１を有する据置型であってもよい（図１３参照）。据置型の場合においても、振動体の形状は略半球状に限らず任意である。
【０１１７】
さらに、上記には、二つの振動体２、３を備えたスピーカー装置１の例を示したが、スピーカー装置１は振動体の数も任意であり、三つ以上の振動体がバネホルダーに連結された構成にされていてもよい。
【０１１８】
また、上記には、三つのアクチュエーター５が設けられた例を示したが、アクチュエーター５の数も任意であり、アクチュエーター５、５、５が周方向において等間隔に離隔して配置されていなくてもよく、アクチュエーター５の配置位置も任意である。
【０１１９】
＜本技術＞
本技術は、以下のような構成にすることができる。
【０１２０】
（１）
駆動信号に応じて動作されるアクチュエーターと、
前記アクチュエーターが結合される結合部を有し少なくとも一部が弾性変形可能なバネホルダーと、
前記バネホルダーを介して連結されると共に前記アクチュエーターの動作に応じて振動される複数の振動体とを備えた
スピーカー装置。
【０１２１】
（２）
前記アクチュエーターは駆動信号に応じて伸縮する振動素子を有し、
前記複数の振動体が前記バネホルダーによってそれぞれ所定の方向へ付勢された状態で前記振動素子に押し付けられた
前記（１）に記載のスピーカー装置。
【０１２２】
（３）
前記振動体は二つが設けられ、
前記二つの振動体は前記振動素子を挟んで反対側に位置されると共にそれぞれ前記振動素子の伸縮方向における両端に接した状態にされた
前記（２）に記載のスピーカー装置。
【０１２３】
（４）
前記二つの振動体は各端面が対向した状態で位置され、
前記各端面の間にクッションが配置された
前記（３）に記載のスピーカー装置。
【０１２４】
（５）
前記振動体が筒状、錐状又は略半球状に形成され、
前記アクチュエーターが前記振動体の周方向に離隔して複数配置された
前記（１）から前記（４）の何れかに記載のスピーカー装置。
【０１２５】
（６）
前記複数のアクチュエーターが等間隔に配置された
前記（５）に記載のスピーカー装置。
【０１２６】
（７）
前記振動体が筒状、錐状又は略半球状に形成され、
前記アクチュエーターが前記振動体の周方向に離隔して複数配置され、
前記結合部が前記振動体の周方向に離隔して複数設けられ、
前記複数のアクチュエーターと前記複数の結合部とが等間隔に位置された
前記（１）から前記（４）の何れかに記載のスピーカー装置。
【０１２７】
（８）
前記振動体は二つが設けられ、
前記バネホルダーに前記二つの振動体を連結する環状の第１の保持部と第２の保持部が設けられ、
前記第１の保持部が前記第２の保持部の内側に位置された
前記（１）から前記（７）の何れかに記載のスピーカー装置。
【０１２８】
（９）
前記第２の保持部に前記結合部が設けられた
前記（８）に記載のスピーカー装置。
【０１２９】
（１０）
前記複数の振動体の内部に配置空間が形成され、
前記配置空間に前記バネホルダーと前記アクチュエーターが配置された
前記（１）から前記（９）の何れかに記載のスピーカー装置。
【０１３０】
（１１）
少なくとも前記アクチュエーターを制御する制御基板を有する構造ユニットが設けられ、
前記構造ユニットが前記配置空間に配置された
前記（１０）に記載のスピーカー装置。
【０１３１】
（１２）
前記構造ユニットには前記振動体の振動に基づいて出力される音響とは異なる音響を出力するスピーカーユニットが設けられた
前記（１１）に記載のスピーカー装置。
【０１３２】
（１３）
前記制御基板が複数設けられ、
前記構造ユニットには前記振動体の振動に基づいて出力される音響とは異なる音響を出力するスピーカーユニットが設けられ、
前記スピーカーユニットの周囲に前記複数の制御基板が配置された
前記（１１）に記載のスピーカー装置。
【０１３３】
（１４）
前記配置空間に照明が配置された
前記（１０）から前記（１３）の何れかに記載のスピーカー装置。
【符号の説明】
【０１３４】
１…スピーカー装置、２…振動体、３…振動体、４…バネホルダー、５…アクチュエーター、６…構造ユニット、９…クッション、１０…配置空間、１２…第１の保持部、１３…第２の保持部、１６…振動素子、２１…光源（照明）、２４…スピーカーユニット、２５…制御基板、２Ａ…振動体、３Ａ…振動体、２Ｂ…振動体、３Ｂ…振動体、２Ｃ…振動体、３Ｃ…振動体、２Ｄ…振動体、３Ｄ…振動体、２Ｅ…振動体、３Ｅ…振動体、２Ｆ…振動体、３Ｆ…振動体
【図１】
2018012181.tif 000003
【図２】
2018012181.tif 000004
【図３】
2018012181.tif 000005
【図４】
2018012181.tif 000006
【図５】
2018012181.tif 000007
【図６】
2018012181.tif 000008
【図７】
2018012181.tif 000009
【図８】
2018012181.tif 000010
【図９】
2018012181.tif 000011
【図１０】
2018012181.tif 000012
【図１１】
2018012181.tif 000013
【図１２】
2018012181.tif 000014
【図１３】
2018012181.tif 000015
【国際調査報告】
2018012181.tif 000016
2018012181.tif 000017
2018012181.tif 000018
2018012181.tif 000019